(57)【要約】【課題】見えにくい部分で手探りの状態でも、磁石の磁力と反発力を用いることで、容易な力と動作で、簡単に着脱を可能とし、かつ、耐性のある見た目にも独特の美しい風合いを持った留め具を提供すること。【解決手段】本発明に係る磁石製留め金具は、円又は多角形の２つのネオジウム磁石本体をコーティングして成る留め具部分と、前記留め具部分と接続された鎖、紐状の部分とから成り、前記留め具部分をずらすことにより、磁石の反発力を利用して着脱することを特徴として構成される。【選択図】図１
2010233701.tif 000002
【特許請求の範囲】
【請求項１】
Ｎ極、Ｓ極が平面的に交互に現れるように着磁されコーティングされた第１及び第２の磁石において、該第１及び第２の磁石を互いに異極となるものが接触するようにして吸着させた磁石と、
前記第１及び第２の磁石の前記接触に係る面とは異なる面にそれぞれ連接された鎖連結具と
を具備することを特徴とする留め金具。
【請求項２】
前記第１及び第２の磁石は円形又は多角形の断面を持つネオジウム磁石とし、
前記鎖連結具には鎖もしくは紐状のアクセサリが接続されることを特徴とする請求項１記載の留め金具。
【請求項３】
前記２つの留め金具は、ほぼ同形もしくは異形であって、角部分が面取りされていることを特徴とする請求項１記載の留め金具。
【請求項４】
前記磁石のコーティングは、無色透明、もしくは、着色された粉体ナイロンで流浸塗装コーティングされることを特徴とする請求項１記載の留め金具。
【請求項５】
前記第１及び第２の磁石は少なくとも一つの平面部分を具備し、この両者の平面部分が多極に分割され、異極に対応して密着することを特徴とする請求項１記載の留め金具。
【請求項６】
前記磁石本体は、残留磁束密度（Ｂｒ）が１０８０（ｍＴ）以上、保磁力（ｂＨｃ）が７９６（ＫＡ／ｍ）以上、最大エネルギー積（ＢＨｍａｘ）が２２３（ＫＪ／ｍ３）より高い磁気特性（Ｂ−Ｈ特性）を備えたことを特徴とする請求項１記載の留め金具。
【請求項７】
Ｎ極、Ｓ極が平面的に交互に現れるように着磁された２つの磁石を流浸塗装し、
前記２つの磁石を互いに異極となるものが接触するようにして吸着させ、
前記２つの磁石の前記接触に係る面とは異なる面に鎖連結具を連接したことを特徴とする留め具製造方法。
【発明の詳細な説明】
【技術分野】
【０００１】
本発明は、たとえばネックレス、袋物、バック、鞄等の鎖や紐状のものの着脱用の留め金具に係り、特に２、４又は６極を有するように加工したネオジウム磁石を用いた磁石製留め金具磁石製留め金具及び留め具製造方法に関する。
【背景技術】
【０００２】
ネックレス等の鎖や紐状の装身具の留め具は、金属の輪と引き輪から為るものが一般的である。磁石製の留め金具なるものも存在するが、未だ、着脱の容易性、装身具としての耐性、デザイン性の問題がある。
【０００３】
ネックレス等装身具の留め金具を装着する際に、通常は、首の後ろという見えない場所で、金属製引き輪を引いて、対の輪に通すという細かい作業が必然的に伴う。この際の指先の細かな作業は、特に対象物が小さい場合には困難をきたす。爪の長短や指先の感覚の衰え等があれば、尚更困難である。ネックレス等の場合、人間工学的な寸法から、適正なネックレス寸法は限定され、この適正寸法からすれば、着脱作業にかなりの困難性が伴っている場合があるのが現状である。
【０００４】
この点で、磁石製の留め具なるものも存在するが、磁石部分が小さいため、装着する際には鎖や紐等の両端に設置された留め具の操作の困難性は未だ解消されていない。また、不意な引力に外れてしまうこともある。
【０００５】
図９は、磁石の平面部のうち上部がＮ極、下部がＳ極を為す場合のイメージ図であり、この形態は従来からよく利用されているものである。図９には示していないが、上部がＳ極、下部がＮ極でもよい。この場合だと、磁石の平面それぞれ１極ずつでの密着となるので、磁石をずらしたり回転することで反発力は生じないため、容易に取り外すことが困難である。
【先行技術文献】
【特許文献】
【０００６】
【特許文献１】特開２００８−１２２４７
【特許文献２】特開２００７−６８９４７
【発明の概要】
【発明が解決しようとする課題】
【０００７】
上述したように、ネックレス等の寸法的な限界がある装身具においては、着脱に困難性が伴う問題があり、これに対して磁石を用いて解決しようとする思想があったが、一定の限界があった。
【０００８】
たとえば、特許文献１では、留め具の装着方向に高低差の段差を形成した上で、それぞれの段に磁石を埋設させることで、Ａ、Ｂ方向には磁力より強い引力が働いても容易に外れないようにしつつ、段差がないＸ ， Ｙ 方向にずらせば容易にはずすことができるとする技術思想を開示している。しかし、同文献中の構成では、Ｘ ， Ｙ 方向に意図せずに磁力以上の引力が作用した場合にははずれてしまう恐れがある一方、これを防ぐべく磁力の強い磁石、たとえばネオジウム磁石を用いた場合にはＸ ， Ｙ 方向であっても容易に外れない構造となっていて、利用者にとって利便性が不十分であると認識せざるを得ない。
【０００９】
また、特許文献２では、留め具の左右接着面の互いに相対する面に磁石を単純に埋設するというものであり、上記と同じ問題、すなわち、磁力の強い磁石を用いた場合には取り外しに困難性をきたし、磁力のそれほど強くないものを用いれば意図しない離脱の可能性があるという問題を解決できていない。
【００１０】
本発明は、上記従来技術の問題点を解決するもので、ネックレス等の鎖、紐状の装身具や袋物、バック、鞄等の留め金具において、着脱容易である留め金具及び留め具製造方法を実現することを目的とする。より詳細には、磁力の強力磁石（たとえばネオジウム磁石）を用いても、強力な磁力により不意な引力への耐性があると同時に着脱容易である留め金具を実現することを目的とする。
【００１１】
更には、装身具としての見た目や、デザイン性を備えた留め金具を提供することも目的とする。
【００１２】
また、強い磁力の利用として、ネオジウム磁石が有効であるが、本来、ネオジウム磁石は、安価で、加工しやすい利点がある一方、錆びやすいという致命的な欠点の為に、服飾品や雑貨への利用がしにくいという側面があるが、この点をも解決することを本願は企図している。
【課題を解決するための手段】
【００１３】
かかる課題を解決するために、本願に磁力の吸着力と共に反発力を巧みに利用する。さらに、本願では、ネオジウム磁石を日常的に発汗等にさらされる首という箇所に用いることができるように工夫する。すなわち、本発明に係る留め金具は、Ｎ極、Ｓ極が平面的に交互に現れるように着磁されコーティングされた第１及び第２の磁石において、該第１及び第２の磁石を互いに異極となるものが接触するようにして吸着させた磁石と、前記第１及び第２の磁石の前記接触に係る面とは異なる面にそれぞれ連接された鎖連結具とを具備する。
【００１４】
本願の着眼点は、第１及び第２の磁石の接触部分を平面的にずらすことにより、それまで異極同士だった組合せが容易に同極同士の組み合わせに転ずるので、磁石の反発力を利用して留め具をたがいに離脱させることが容易となろうということにある。
【００１５】
上記の構成において、前記第１及び第２の磁石は円形又は多角形の断面を持つネオジウム磁石とし、前記鎖連結具には鎖もしくは紐状のアクセサリが接続されるようにしてもよい。
【００１６】
或いは、上記の構成において、前記２つの留め金具は、ほぼ同形もしくは異形であって、角部分が面取りされている構成とすることもできる。
【００１７】
上記の構成において、前記磁石のコーティングは、無色透明、もしくは、着色された粉体ナイロンで流浸塗装コーティングされる構成としてもよい。
【００１８】
上記構成において、前記第１及び第２の磁石は少なくとも一つの平面部分を具備し、この両者の平面部分が多極に分割され、異極に対応して密着する構成としてもよい。
【００１９】
上記構成において、前記磁石本体は、残留磁束密度（Ｂｒ）が１０８０（ｍＴ）以上、保磁力（ｂＨｃ）が７９６（ＫＡ／ｍ）以上、最大エネルギー積（ＢＨｍａｘ）が２２３（ＫＪ／ｍ３）より高い磁気特性（Ｂ−Ｈ特性）を備えた構成としてもよい。
【００２０】
このように構成される本発明によれば、磁石平面と平行に横滑りに力を加えることで、磁石平面部分を多極に分けて構成した、磁石のＮＳ極がずれて反発が生じ、磁石の一部分のみの密着面積と磁力となるので、容易な動作と力で着脱可能となる。
【００２１】
磁石のＮＳ極がずれて反発が生じ、磁石の一部分のみの密着面積と磁力となる、とは、例えば、磁石平面部分を４極に分けていた場合、全面密着状態とは、双方の留め具の４極全てが対応して磁力で引き合う場合であり、一部分のみの密着状態とは、双方の留め具の１つの極のみ、つまり磁石全面の約４分の１の面積と磁力で引き合っている場合である。
【００２２】
このように構成される本発明によれば、見えにくい部分で手探りの状態でも、磁石の磁力と反発力を用いることで、容易な力と動作で、簡単に留め具の着脱を実現可能とする。
【００２３】
また、上記課題を解決するために、本発明に係る留め具製造方法は、Ｎ極、Ｓ極が平面的に交互に現れるように着磁された２つの磁石を流浸塗装し、前記２つの磁石を互いに異極となるものが接触するようにして吸着させ、前記２つの磁石の前記接触に係る面とは異なる面に鎖連結具を連接したことを特徴とする。
【００２４】
かかる構成によれば、着脱容易なアクセサリー留め具の製造方法を、磁石の製造工程に工夫を加えつつ、コーティング工程を適応的にかませるだけで、コスト的な負担を過大に生ずることなく実現することができる。
【発明の効果】
【００２５】
本発明によれば、見えにくい部分で手探りの状態でも、磁石の磁力と反発力を用いることで、容易な力と動作で、簡単に留め具の着脱が可能となる。更に、コーティングにより、水、汗や汚れに耐性があり錆びにくく、かつ手になじみやすい、独特の美しい風合いを持った留め具が提供される。
【図面の簡単な説明】
【００２６】
【図１】本発明の一実施形態に係る磁石製留め金具における構造を斜め左方向から俯瞰した図である。
【図１Ａ】図１における１の角部分、及び接合部分細部の拡大図である。
【図１Ｂ】本発明の一実施形態に係る磁石製留め金具本体のうちの１つであり、円形で中央部に皿もみを設け一つ孔を施した場合の構造の平面図及び正面図である。
【図１Ｃ】本考案の一実施形態に係る磁石製留め金具本体のうちの１つであり、円形で溝を設け二つ孔を施した場合の構造の平面図及び正面図である。
【図２】本発明の一実施形態に係る磁石製留め金具における構造を断面視した図である。
【図３】本発明の磁石製留め金具の磁石部分における、４極の場合（Ｂ）、２極の場合（Ｃ）、及び６極の場合（Ｄ）の構造のイメージ図である。
【図３Ａ】本発明の磁石製留め金具の磁石部分における、４極の場合（Ｅ）、２極の場合（Ｆ）、及び３極の場合（Ｇ）の構造のイメージ図である。
【図４】本発明の一実施形態に係る４極の場合の磁石製留め金具における着脱方法を時系列に示した図であって、（ａ）２つの留め金具であるネオジウム磁石の磁極面４極が各々対応して密着している状態、（ｂ）横滑りの力を９０度程加えたところ、４極で対応していた磁力面がずれ、反発力が生じ各磁石の約４分の１の磁力面で吸着している状態、（ｃ）ｂの状態から、指で軽く力を加えたことで、２つの留め金具が外れた状態を、それぞれ示す。
【図５】図４の（ｂ）の磁極のイメージを示した拡大図である。
【図６】本発明の一実施形態に係る磁石製留め金具においてそれぞれの断面を、一方を丸型、もう一方を多角形にした場合の図である。
【図７】本発明の一実施形態に係る磁石製留め金具の、磁石部分を例えば四角棒状にした場合を示した平面図である。
【図８】図７の磁石部分の拡大図及び、４極の場合の磁極のイメージ図である。
【図９】従来よく利用される磁石の上下平面部がＮ極Ｓ極を為すもののイメージ図である。
【発明を実施するための形態】
【００２７】
以下、図面を参照して本発明を実施するための形態について説明する。なお、以下では、本発明の目的を達成するための説明に必要な範囲を模式的に示し、本発明の該当部分の説明に必要な範囲を主に説明することとし、説明を省略する箇所については公知技術によるものとする。
【００２８】
図１は、本発明の一実施形態に係る磁石製留め金具における構造を斜視した図である。同図に示されるように、本実施形態に係る磁石性留め金具１は円柱形の磁石１Ａとこの磁石１Ａに接着面２を介して磁着している磁石１Ｂを具備して構成される。このように本発明に係る磁石は略円柱形でなくともよいが、平面部分を少なくとも有するもので、たとえば略多角柱形であってよい。この場合には、たとえば直径もしくは対角線は１０〜３０ｍｍ前後とするが、好適には１５ｍｍ前後、厚さ１ｍｍ〜３ｍｍ程度のネオジウム磁石とする。かかる磁石には、粉体ナイロンによる、０．１５ｍｍから０.５ｍｍの厚さになる流浸塗装コーティング（最適には０．２ｍｍ程度とする）を施すのが好ましい。この磁石には、互いの磁石が吸着する面とは異なる面（たとえば平面が２つある場合には、吸着とは反対側の平面）にネックレス等の鎖もしくは紐が連接される構造を有する。かかる鎖との接合部分（Ａ）については、公知の任意の構造を採用することができる。
【００２９】
例えば、図１Ｂは、磁石製留め金具のうちの１つであり、円形で中央部に皿もみを設け一つ孔を施した場合の構造の平面図及び正面図である。図１Ｃは、円形で溝を設け二つ孔を施した場合の構造の平面図及び正面図である。このように、留め金具の使用用途に適した任意の構造形態をとることが可能である。
【００３０】
磁石本体３は、残留磁束密度（Ｂｒ）が１０８０（ｍＴ）以上、保磁力（ｂＨｃ）が７９６（ＫＡ／ｍ）以上、最大エネルギー積（ＢＨｍａｘ）が２２３（ＫＪ／ｍ３）より高い磁気特性（Ｂ−Ｈ特性）を備えたものを使用するのが好ましい。
【００３１】
図２は、本発明の一実施形態に係る磁石製留め金具における構造を断面視したものである。本来は錆びやすいネオジウム磁石を、粉体ナイロンで流浸塗装コーティングしたことによって、酸化しにくくなる。これにより、人間の汗や皮脂がつきやすい装身具や、風雨にさらされやすい袋物、バック、鞄等に利用した場合でも、錆びにくくなる。
【００３２】
磁石に塗装を施す場合、通常の塗装では、せいぜい０．１ｍｍ程度の厚さにしかできないところ、粉体ナイロンで流浸塗装コーティングした場合は、０．１５ｍｍから０．５ｍｍまでの厚みのあるコーティングが可能になる。よって、図１Ａに示されるように磁石の角が緩衝され、摩擦係数が弱まり、肌に触れても優しいという効果がある。この部分に関して、図３、図４、図６、図７、図８に関しても同様に、角が面取りされている構造とすることができる。
【００３３】
また、磁石に粉体ナイロンを高電圧での静電塗装コーティングした場合、厚みはでるが、表面に凹凸が生じ、ザラザラな仕上がりになってしまう。
【００３４】
この点で、本発明に係る粉体ナイロンによる流浸塗装コーティングの場合は、それらの欠点を克服した、手になじみやすいふっくらとした厚みのある、表面が滑らかであり、ツヤのある独特の美しい仕上がりを実現でき、かつ剥げにくいので、装飾品の一部品に利用することに適している。
【００３５】
更に、ふっくらとした厚みがある粉体ナイロンによる流浸塗装コーティングにより、強力な磁力を持つネオジウム磁石の吸着力のショックアブソーバーになる。
【００３６】
また、ナイロンコーティングに使用するナイロンの粉体の色彩により、透明もしくは様々な色に着色できる。
【００３７】
例えば、透明な粉体ナイロンで流浸塗装コーティングとすると、着色ではでないような、ネオジウム磁石素材本来の、クラシックゴールドのような独特の風合いを出すことも可能である。これにより、本来は錆びやすく、装身具として利用しにくいネオジウム磁石を、本来の色合いを楽しみつつ利用することも可能となる。
【００３８】
また、例えば、着色した粉体ナイロンで流浸塗装コーティングすると、ネオジウム磁石素材の色味を感じさせない様々な色合いを美しく表現することが可能である。
【００３９】
よって、多彩な色彩バリエーションの中から、ネックレス、袋物、バック、鞄等の装身具の色彩に応じ、本発明に係る留め金具を選択することが可能となるので、もはや装身具の一部品のみならず、装飾品のアクセントとしても楽しむこともできる。
【００４０】
図９は上述したように、磁石の平面部のうち上部がＮ極、下部がＳ極を為す場合のイメージ図であり、この形態は従来からよく利用されているものであるが、この場合だと、磁石の平面それぞれ１極ずつでの密着となるので、磁石をずらしたり回転することで反発力は生じないため、容易に取り外すことが困難である。
【００４１】
これに対して、図３は、本発明に使用する磁石の構造を示した概念図である。上から、平面的磁石を円の中心角を約９０度に分離して４極にした形態（Ｂ）、円の中心角を約１８０度に分離して２極にした形態（Ｃ）、円の中心角を約６０度に分離して６極にした形態（Ｄ）である。好適には４極とする。４極の場合とは、磁石１Ａにおける（少なくとも接着面２側の）平面を略９０°ずつＮ極、Ｓ極を交互に着磁させたものをいう。これに対応させる磁石１Ｂでは、図３Ｂには示さないが、磁石１Ａにおける磁極配置と対をなすように、Ｓ極、Ｎ極、を平面配置する。
【００４２】
図３Ａは、本発明に使用する磁石の他の構造を示した概念図である。上から、平面的磁石を円の中央線と平行に４極にした形態（Ｅ）、円の中央線と平行に２極にした形態（Ｆ）、円の中央線と平行に３極にした形態（Ｇ）も可能である。この場合も、これに対応させる磁石１Ｂでは、図３Ａ及びＥには示さないが、磁石１Ａにおける磁極配置と対をなすように、Ｓ極、Ｎ極を平面配置する。
【００４３】
次に、本発明に係る磁石性留め具に係る着脱動作を説明する。図４は、本発明の取り外し動作を図示したものである。図３のａは４極が対応し合い（すなわち、磁石１Ａと磁石１Ｂとの異極同士が結着し）、密着している状態を示すものである。
【００４４】
図４におけるｂは磁石平面を平行に横滑りに約９０度（４極の場合）回転させる力もしくはせん断力あるいは引力を加えた状態を図視したものである。こうした力は利用者が場合に応じて加えるのが通常である。この力が加わると、それまで磁石１Ａ及び磁石１Ｂにおいて異極同士が結着していた状態から磁石のＮＳ極がずれて同極同士が略向かい合う配置となるために磁力による反発力が生じて、これを脱する方向に力が働く結果、磁石１Ａ、１Ｂが互いに異極が向かい合う配置になるように回転されることになる。こうして、磁石平面全体による接着状態から略４分の１のみが接着される状態となる。このため、磁石平面全体が密着している状態の約４分の１の密着面積になると共に、磁力による吸着力も略４分の１になる。
【００４５】
２極の場合は、上記と同様のメカニズムにより、磁石平面を平行に横滑りに約１８０度、回転させる力を加えることで磁石のＮＳ極がずれて反発力が生じ、磁石平面全体が密着している状態の約２分の１の密着面積になると共に、磁力による吸着力も略２分の１になる。
【００４６】
６極の場合は、上記と同様のメカニズムにより、磁石平面を平行に横滑りに約４５度、回転させる力を加えることで磁石のＮＳ極がずれて反発力が生じ、磁石平面全体が密着している状態の約６分の１の密着面積になると共に、磁力による吸着力も略６分の１になる。
【００４７】
図４におけるｃは、同ｂの状態から、一方の平面磁石に斜め方向に力を加えた状態を図示したものである。２つの磁石のずれが生じている部分を押すように力を加えると、てこの原理が手伝い容易に外すことが可能となる。上述したように、磁石平面全体が密着している状態の約４分の１の密着面積と磁力による吸着力になるので、磁石の平面全体が密着していたときに比べ、格段に弱い力での取り外しが可能となる。
【００４８】
２極の場合は、上述したように、磁石平面全体が密着している状態の約２分の１の密着面積と磁力による吸着力になるので、４極の場合よりは重なり面が多くなる。
【００４９】
６極の場合は、上述したように、磁石平面全体が密着している状態の約６分の１の密着面積と磁力による吸着力になるので、４極の場合よりは重なり面が少なくなる。
【００５０】
磁石の極面の数は、使用用途に合わせて適宜選択することが可能である。
【００５１】
利用者がたとえばネックレスを装着する場合には、狙いを定めずとも、適当に本発明の２つの磁石部分を、近づけることで、磁力により図４ｂのように、容易に２つの磁石双方の一部分が吸着するので、横滑りの力を加えれば、カチッという感触により、及び、手先で装着の嵌め合いが確認できることにより、磁石の４極全面で対応することが判る。こうして全面において異極同士が磁着されれば、ネオジウム磁石の強力な磁力により密着状態が保持される。
【００５２】
一方、利用者がネックレスの装着の際に狙いを定めないことからたとえ同極同士が対応する位置になったとしても、磁石の反発力により、正しい設置方向にしか設置することはできないので、誤って取り付けてしまうこともない。特にネオジウム磁石の場合には、磁着の力が他の磁石（たとえばフェライト磁石）に比して強いので、反発力も強く、上記の誤り防止は確実になる。
【００５３】
また、留め金具の２つのネオジウム磁石は、磁石平面に対して垂直な力に対しては、強力な磁力を発揮するのに対して、横滑りの力には比較的寛容であり、一部分の吸着から、横滑りにより密着させる際のカチッという感触から、ある意味、鍵のような感覚での利用形態も可能である。この点は、特に袋物、バック、鞄等への利用可能性が広がる。
【００５４】
横滑りの力を加えれば、磁力の反発力により容易に着脱することが可能なので、例えばネックレスのように着脱を首の後ろで行うため、手探りで行わなければならない場合や夜間の照明等のない場合でも装着に手間を要することなく、利用者にとって煩わしくない。また、爪の長短により、従来のネックレス金具の装着操作が難儀であった人や、指先の力が弱い高齢者や子供であっても時間や労力をかけずに装着することが可能である。
【００５５】
着脱時間が短時間で済むので、例えば、ペットの首輪に利用することにも適している。留め金具部分がコーティングにより滑らかであるので、ペットの毛が絡まる等の心配なく利用できる。また、コーティングは、剥げにくく、水や汚れにも優れた耐性があるので、動きの激しいペットにも対応することができる。
【００５６】
図６のように、２つのネオジウム磁石のうちの一方を丸、もう一方を多角形にすれば、より、操作する指にひっかかりやすく、特に見えにくい部分での操作をしやすくすることも可能である。丸と多角形の組み合わせの場合、丸の大きさより多角形が小さいと横滑りの力を加えることが容易であり、横滑りしやすい。又、丸の大きさより多角形が大きいと回転の力を加えることが容易であり、回転しやすい。
【００５７】
多角形のような角のある素材の場合でも、粉体ナイロンで流浸塗装コーティングすることにより、角が緩衝されるため肌にあたる部分に使用しても、肌を痛める心配は少ない。
【００５８】
また、ネックレス等装身具に利用すれば、磁力によって、人体への血流促進による健康効果もある。
【００５９】
図７は本発明の一実施形態に係る磁石製留め金具の、磁石部分を例えば四角棒状にした場合を示した平面図である。このような形状の場合も、粉体ナイロンで流浸塗装コーティングすることにより、角が緩衝されるため肌にあたる部分に使用しても、肌を痛める心配は少ない。
【００６０】
図８は図７の場合の磁石部分の拡大図及び４極の場合の磁極のイメージ図である。離脱させる場合の動きを説明する。磁石１の双方に、平行に力を加えることにより、磁極部分にずれが生じて反発力が生まれ磁石平面全体が密着している状態の約２分の１の磁力になる。
【００６１】
そこで、２つの磁石のずれが生じている部分を押すように力を加えると、てこの原理が手伝い容易に外すことが可能となる。ネオジウム磁石の強力な磁力により、磁石の平面全体が密着していたときに比べ、格段に弱い力で取り外しが可能となる。
【００６２】
このように、任意の形状であっても、留め金具として利用できるので、袋物、バック、鞄等や装身具等の留め金具としてバリエーション豊かに利用可能である。
【００６３】
素材であるネオジウム磁石の大きさや形状、磁極の数を工夫することで、磁石平面全面密着時の強さと、反発力によりずれが生じた場合の磁石面の重なりの面積と磁力を、多様に変化させることが可能なので、袋物、バック、鞄等、衣服、靴、介護用品、文房具、家具、電化製品、パソコン周辺機器等、様々な製品の留め金具としても利用可能である。
【００６４】
なお、本発明は上述した実施形態に限定されるものではなく、本発明の主旨を逸脱しない範囲内で種々変更して実施することが可能である。また、上述した実施例は、本発明に係る技術思想を具現化するための実施形態の一例を示したにすぎないものであり、他の実施形態でも本発明に係る技術思想を適用することが可能である。
【００６５】
たとえば、図７の場合、上記の説明に換えて、円柱の接着面と略９０°の箇所にネックレス等の鎖もしくは紐が連接される構造として考えることもできる。つまり、図１の場合には互いの磁石１Ａ、１Ｂが吸着する面と反対側（接着面と略１８０°の箇所）の平面にネックレス等の鎖もしくは紐が連接される構造を示したが、吸着面と略９０°ずれた箇所にする構成を示すものととらえる形態でもよい。この形態によれば、首との接触面が平面部になるので、図１のように側面が首と接触する場合とは異なった触感を与えることができる。
【００６６】
さらにまた、本発明を用いて生産される装置、方法、システムが、その２次的生産品に搭載されて商品化された場合であっても、本発明の価値は何ら減ずるものではない。
【産業上の利用可能性】
【００６７】
首の後ろなど見えにくく操作しにくい部分でも、本発明に係る留め金具によれば、磁力及び反発力を利用することで、容易に着脱可能とできること、更に、ネオジウム磁石を粉体ナイロンで流浸塗装コーティングすることで、独特の美しい仕上がりが実現することから、服飾・雑貨産業、文房具産業をはじめとし幅広い分野で応用できる。例えば、建築、電気機械、ペット産業、教育、福祉、介護、医療機器等各産業分野で利用可能性を有する。
【符号の説明】
【００６８】
１  留め金具
３  ネオジウム磁石本体
４  鎖、紐等
【図１】
2010233701.tif 000003
【図１Ａ】
2010233701.tif 000004
【図１Ｂ】
2010233701.tif 000005
【図１Ｃ】
2010233701.tif 000006
【図２】
2010233701.tif 000007
【図３】
2010233701.tif 000008
【図３Ａ】
2010233701.tif 000009
【図４】
2010233701.tif 000010
【図５】
2010233701.tif 000011
【図６】
2010233701.tif 000012
【図７】
2010233701.tif 000013
【図８】
2010233701.tif 000014
【図９】
2010233701.tif 000015